(57)【要約】【課題】外張り断熱工法の開口部周辺の構造において、断熱性能を低下させず、施工精度を下げずに、また、取付けに手間が掛からない構造。【解決手段】係止部材９は、下地材１０の屋外側に位置される固定面片１０、該固定面片１０のサッシ枠体側の端辺より略直角に延長される第１側面片１１、該第１側面片１１の屋外側の端辺より略直角に延長される前面片１２、および該前面片１２のサッシ枠体側の端辺より略直角に延長される第２側面片１３から構成される長尺部材であって、該係止部材９と外壁材８の端面との空隙部分および該係止部材９とサッシ枠体４とが接する屋外側の入隅部分にシーリング材１４ａおよび１４ｂが設けられる構造である。【選択図】図１
2004011380.tif 000002
【特許請求の範囲】
【請求項１】
躯体の屋外側に断熱材および断熱材の屋外側に下地材を介して配される外壁材を有する建物の開口部にサッシ枠体が取り付けられる建物開口部周辺の構造において、下地材の開口部側の端部と外壁材の開口部側の端部およびサッシ枠体の屋外側端部の少なくとも一部を覆うように係止部材が設けられており、該係止部材は断熱材の屋外側の下地材に係止される固定面片、該固定面片の開口部側の端辺から屋外側に略直角に延長する外壁材の板厚より長い第１側面片、該第１側面片の開口部側の端辺より略直角に延伸する前面片、および該前面片の端辺より略直角に延長する該第１側面片より長い第２側面片の断面形状を有する長尺部材であり、かつ、該係止部材と外壁材の端面との空隙部分および該係止部材とサッシ枠体とが接する屋外側の入隅部分の少なくとも一部にシーリング材が設けられていることを特徴とする建物開口部周辺の構造。
【請求項２】
前記係止部材の前面片および／または第２側面片の屋外側を覆い、かつ該係止部材の第１側面片と外壁材の端面との空隙部分に配されたシーリング材を覆って、板状カバー部材が配置される請求項１に記載の建物開口部周辺の構造。
【請求項３】
前記係止部材の前面片および／または第２側面片に固定用部材を介して板状カバー部材が配置される請求項２に記載の建物開口部周辺の構造。
【発明の詳細な説明】
【０００１】
【発明の属する技術分野】
本発明は、躯体の屋外側に断熱材が配された外張り断熱工法の開口部周辺の構造に関する。
【０００２】
【従来の技術】
従来、断熱材を躯体として間柱を含む柱、壁面材などの外側に配した外張り断熱工法の建物において、サッシなどの開口部材を直接躯体（柱、まぐさおよび窓台）に固定した場合、外壁材が開口部材より屋外側に位置するため、外壁材と開口部材との間のシーリング施工が困難となる問題があった。この問題を有する従来の開口部周辺の構造の断面を図６に示す。これは、躯体（まぐさ）１にスペーサ２を介して断熱材３およびサッシ枠である開口部材４を配し、その上面から透湿防水シート５、下地材（胴縁）６、ジョイナー７を介して釘２０で固定し、ジョイナー７の屋外側に外壁材８を係止し、外壁材８とジョイナー７との間をシーリング材１４で構成している。しかし、この工法では、スペーサ２を用いることにより、断熱材３をサッシ枠４の周辺まで配置できないため、開口部周辺の断熱性能が低下すること、スペーサ２を介してサッシ枠４を固定することで開口部の施工精度が下がること、開口部材の取付けに手間が増えることなどの問題を有している。
【０００３】
【発明が解決しようとする課題】
本発明は前述の問題点を解消して、断熱性能を低下させず、施工精度を下げずに、また、取付けに手間が掛からない建物開口部周辺の構造を提供することにある。
【０００４】
【課題を解決するための手段】
本発明は躯体の屋外側に断熱材および断熱材の屋外側に下地材を介して配される外壁材を有する建物の開口部にサッシ枠体が取り付けられる建物開口部周辺の構造において、下地材の開口部側の端部と外壁材の開口部側の端部およびサッシ枠体の屋外側端部の少なくとも一部を覆うように係止部材が設けられており、該係止部材が断熱材の屋外側の下地材に係止される固定面片、該固定面片の開口部側の端辺から屋外側に略直角に延長する外壁材の板厚より長い第１側面片、該第１側面片の開口部側の端辺より略直角に延伸する前面片、および該前面片の端辺より略直角に延長する該第１側面片より長い第２側面片の断面形状を有する長尺部材であり、かつ、該係止部材と外壁材の端面との空隙部分および該係止部材とサッシ枠体とが接する屋外側の入隅部分の少なくとも一部にシーリング材が設けられていることを特徴とする建物開口部周辺の構造を提供することにある。
【０００５】
このような断熱材の屋外側の下地材に係止される係止部材を用いた開口部周辺の構造をとることにより、スペーサを介して開口部材を取り付ける手間が省け、さらに開口部材の取付け精度が向上する。また、断熱材が開口部材の周辺まで配されるので断熱性能を向上させることができる。
【０００６】
また、本発明は、前記係止部材の前面片および／または第２側面片の屋外側を覆い、かつ、該係止部材の第１側面片と外壁材の端面との空隙部分に配されたシーリング材を覆って、板状カバー部材が配置される建物開口部周辺の構造を提供することにある。
【０００７】
これにより板状カバー部材を係止部材の前面片および／または第２側面片に配置することにより、シーリング材の太陽光による紫外線劣化を防ぐことができる。また、意匠性のある板状カバー部材を用いることで、開口部の外観および建物の外観を向上させることができる。
【０００８】
【発明の実施の形態】
以下に、本発明の実施形態を図に基づいて説明する。なお、本発明の構成は、実施例に例示される構成に限定されるものではなくて、各種の態様が取り得る。
【０００９】
図１は、本発明の建物開口部周辺の構造の実施例を示す。躯体としてのまぐさまたは柱台１の屋外側には、開口部材としてのサッシ枠体４、透湿防水シート５、断熱材３が配され、断熱材３の屋外側には係止部材９を介して釘２０で下地材１０が施工される。係止部材９は、図１および一部を省略した斜視図の図２に示されるように、下地材１０の屋外側に位置される固定面片１０、該固定面片１０のサッシ枠体側の端辺より略直角に延長される第１側面片１１、該第１側面片１１の屋外側の端辺より略直角に延長される前面片１２、および該前面片１２のサッシ枠体側の端辺より略直角に延長される第２側面片１３から構成される長尺部材である。第１側面片の長さＬ１は外壁材の厚さと同等であり、固定面片１０と第１側面片１１と外壁材８の端面とに囲まれる空隙部分にシーリング材１４ａを設けることにより、係止部材９と外壁材８との隙間がシールされ止水できる。第２側面片の長さＬ２は第１側面片の長さＬ１よりも長く、第２側面片が断熱材に接する長さが好ましい。これにより第２側面片１３はサッシ枠体４の屋外端部よりも屋内側に位置するので、該第２側面片と該サッシ枠体とで形成される屋外側の入隅部分にシーリング材１４ｂを設けることにより、係止部材９とサッシ枠体４との隙間がシールされ止水できる。また、断熱材３の端部がサッシ枠体４に接して配されるので断熱性能が向上する。なお、シーリング材１４ａおよび１４ｂには湿式のシーラントあるいは乾式の目地部材を使用することができる。
【００１０】
図３は、本発明の建物開口部周辺の構造の他の実施例を示す。図１の同一の機能を有する部分については同一の番号を付して説明する。図３には、板状カバー部材１５が係止部材９の前面片１２に接着されることにより、シール部Ａ１４ａを覆う構成である。この構成によれば、固定面片１０と外壁材８と第１側面片１１との間に設けられるシーリング材１４ａを板状カバー部材１５で覆うことにより、シーリング材の耐候性が向上する。また板状カバー部材１５に意匠性を持たせることにより、開口部周辺の外観性が向上する。
【００１１】
図４は、本発明の建物開口部周辺の構造の他の実施例を示す。図１の同一の機能を有する部分については同一の番号を付して説明する。係止部材９の前面片１２に固定用部材１６をビス２１で固定した状態で、板状カバー部材１５は該固定用部材１６の屋外側面に配接される。なお、固定用部材１６は、係止部材９の前面片１２に固定した状態で、シーリング材１４ｃでビス２１の頭が外部に露出しないような構成とすることが望ましい。この工法により、該固定用部材１６を該前面片１２に固定するために用いたビス２１の頭を覆うことができ、さらに意匠性が向上する。
【００１２】
図５は、本発明の建物開口部周辺の構造の他の実施例を示す。図１の同一の機能を有する部分については同一の番号を付して説明する。係止部材９の第２側面片１３に固定用部材１７をビス２２で固定した状態で、板状カバー部材１５は該固定用部材１７の屋外側面に配接される。この工法により、該固定用部材１７を該第２側面片１３に固定するために用いるビス２２が該係止部材９の前面片側１２に露呈することがなくなり、さらに耐候性が改善し、意匠性が向上する。
【００１３】
本発明の係止部材の材質には、金属製、プラスチック製などが使用できる。耐久性を考慮した場合、ステンレスやアルミニウムなどの金属製が好ましい。
【００１４】
本発明に用いる板状カバー部材の材質には、金属製、プラスチック製、セラミックス製などが使用できる。また、意匠性を考慮した形状の部材を用いることもできる。板状カバー部材の取付け方法には、釘やビスなどで固定する方法や接着剤で接着する方法、あるいは両者を併用する方法が使用できる。
【００１５】
本発明に用いる固定用部材の材質には、金属製、プラスチック製などが使用でき、係止部材または板状カバー部材と同一の材質を用いることもできる。
【００１６】
本発明に用いるシーリング材については、湿式のシーラントあるいは乾式の目地部材を使用することができる。湿式のシーラントには、シリコン系シーラントを用いるのが好ましい。また乾式の目地部材には、目地ガスケット等のシーリング部材を使用でき、たとえば合成ゴム製やポリウレタン製のものが使用できる。
【００１７】
【発明の効果】
本発明により、図６に示したようなスペーサを介して開口部材を取り付ける手間が省かれ、さらに開口部材の取付け精度が上がる。また、断熱材の端部がが開口部材まで配置されるので、断熱性能が向上する。さらに意匠性のある板状カバー部材を係止部材の前面片または第２側面片に取り付けることにより、シーリング材の太陽光による紫外線劣化を防ぐとともに、意匠性が向上する。
【図面の簡単な説明】
【図１】本発明の開口部周辺の構造の実施例を示す断面図。
【図２】本発明の係止部材の一部分を示す斜視図。
【図３】本発明の開口部周辺の構造の他の実施例を示す断面図。
【図４】本発明の開口部周辺の構造の他の実施例を示す断面図。
【図５】本発明の開口部周辺の構造の他の実施例を示す断面図。
【図６】従来の開口部周辺の構造を示す断面図。
【符号の説明】
１：躯体
２：スペーサ
３：断熱材
４：サッシ枠体
５：透湿防水シート
６：下地材
７：ジョイナー
８：外装材
９：係止部材
１０：固定面片
１１：第１側面片
１２：前面片
１３：第２側面片
１４、１４ａ、１４ｂ、１４ｃ：シーリング材
１５：板状カバー部材
１６、１７：固定用部材
２０：釘
２１、２２：ビス
【図１】
2004011380.tif 000003
【図２】
2004011380.tif 000004
【図３】
2004011380.tif 000005
【図４】
2004011380.tif 000006
【図５】
2004011380.tif 000007
【図６】
2004011380.tif 000008